(57)【特許請求の範囲】
【請求項１】
基地局と通信するユーザー端末(ＵＥ）によって同一の伝送時間区間で符号化データ情報シンボルと共に伝送される複数の符号化制御情報シンボルを、前記基地局が前記ＵＥに割り当てる方法であって、
前記基地局によってオフセットを前記ＵＥに割り当てるステップと、
前記基地局によって、データ情報に対する変調及び符号化方式(データＭＣＳ）を前記ＵＥに割り当てるステップと、
前記オフセットを前記ＵＥに伝送するステップと、
前記データＭＣＳを前記ＵＥに伝送するステップと、を有し、
制御情報の伝送のために前記ＵＥに割り当てられる符号化制御情報シンボルの個数は、前記データＭＣＳとオフセットに基づいて決定されることを特徴とする方法。
【請求項２】
前記制御情報は、チャンネル品質情報(ＣＱＩ)、肯定応答(ＡＣＫ)/否定応答(ＮＡＫ)、プリコーディングマトリックスインデックス(ＰＭＩ)、及びランクインジケータ(ＲＩ)のうち少なくとも一つを含むことを特徴とする請求項１に記載の方法。
【請求項３】
前記符号化制御情報シンボルの個数は、前記制御情報に対するターゲット信号品質以上の信号品質を得る最大ＭＣＳに対応することを特徴とする請求項２に記載の方法。
【請求項４】
前記符号化制御情報シンボルの個数は、前記制御情報に対するターゲット信号品質以上の信号品質を得る最小反復個数に対応することを特徴とする請求項２に記載の方法。
【請求項５】
基地局と通信するユーザー端末(ＵＥ）によって同一の伝送時間区間で符号化データ情報シンボルと共に伝送される第１個数の第１タイプの符号化制御情報シンボル及び第２個数の第２タイプの符号化制御情報シンボルを、前記基地局が前記ＵＥに割り当てる方法であって、
前記基地局によって、第１のオフセット及び第２のオフセットを前記ＵＥに割り当てるステップと、
前記基地局によって、データ情報に対する変調及び符号化方式(データＭＣＳ）を前記ＵＥに割り当てるステップと、
前記第１のオフセット及び第２のオフセットを前記ＵＥに伝送するステップと、
前記データＭＣＳを前記ＵＥに伝送するステップと、を有し、
前記ＵＥに割り当てられる第１タイプの符号化制御情報シンボルの第１個数は、データＭＣＳ及び第１のオフセットに基づいて決定され、前記ＵＥに割り当てられる第２タイプの符号化情報シンボルの第２個数は、データＭＣＳ及び第２のオフセットに基づいて決定されることを特徴とする方法。
【請求項６】
前記第１タイプの符号化制御情報シンボルはチャンネル品質情報(ＣＱＩ）からなり、前記第２タイプの符号化制御情報シンボルは肯定応答(ＡＣＫ)/否定応答(ＮＡＫ)からなることを特徴とする請求項５に記載の方法。
【請求項７】
基地局と通信するユーザー端末(ＵＥ)で、前記ＵＥによって同一の伝送時間区間で符号化データ情報シンボルと共に伝送される複数の符号化制御情報シンボルを決定する方法であって、
前記基地局からオフセットを受信するステップと、
前記基地局からデータ情報に対する変調及び符号化方式(データＭＣＳ）を受信するステップと、
制御情報の伝送のために前記受信されたデータＭＣＳ及びオフセットに基づいて符号化制御情報シンボルの個数を決定するステップと、
前記符号化制御情報シンボルを符号化データ情報シンボルと共に伝送するステップと、
を有することを特徴とする方法。
【請求項８】
前記制御情報は、チャンネル品質情報(ＣＱＩ)、肯定応答(ＡＣＫ)/否定応答(ＮＡＫ)、プリコーディングマトリックスインデックス(ＰＭＩ)、及びランクインジケータ(ＲＩ)のうち少なくとも一つを含むことを特徴とする請求項７に記載の方法。
【請求項９】
前記符号化制御情報シンボルの個数は、前記制御情報に対するターゲット信号品質以上の信号品質を得る最大ＭＣＳに対応することを特徴とする請求項８に記載の方法。
【請求項１０】
前記符号化制御情報シンボルの個数は、前記制御情報に対するターゲット信号品質以上の信号品質を得る最小反復個数に対応することを特徴とする請求項８に記載の方法。
【請求項１１】
基地局と通信するユーザー端末(ＵＥ)で、前記ＵＥによって同一の伝送時間区間で符号化データ情報シンボルと共に伝送される第１個数の第１タイプの符号化制御情報シンボル及び第２個数の第２タイプの符号化制御情報シンボルを決定する方法であって、
前記基地局から第１のオフセット及び第２のオフセットを受信するステップと、
前記基地局からデータ情報に対する変調及び符号化方式(データＭＣＳ）を受信するステップと、
前記第１のオフセット及びデータＭＣＳに基づいて前記第１タイプの符号化制御情報シンボルの第１個数を決定するステップと、
前記第２のオフセット及びデータＭＣＳに基づいて前記第２タイプの符号化制御情報シンボルの第２個数を決定するステップと、
前記第１又は第２タイプの符号化制御情報シンボルを前記符号化データ情報シンボルと共に伝送するステップと、
を有することを特徴とする方法。
【請求項１２】
前記第１タイプの符号化制御情報シンボルはチャンネル品質情報(ＣＱＩ）からなり、前記第２タイプの符号化制御情報シンボルは肯定応答(ＡＣＫ)/否定応答(ＮＡＫ)からなることを特徴とする請求項１１に記載の方法。
【請求項１３】
基地局と通信するユーザー端末(ＵＥ）によって同一の伝送時間区間で符号化データ情報シンボルと共に伝送される複数の符号化制御情報シンボルを前記ＵＥに割り当てる装置であって、
データ情報に対する変調及び符号化方式(データＭＣＳ）及びオフセットを前記ＵＥに割り当てる割り当て部と、
前記データＭＣＳ及びオフセットを前記ＵＥに伝送する伝送部と、を含み、
制御情報の伝送のために前記ＵＥに割り当てられる符号化制御情報シンボルの個数は、データＭＣＳとオフセットに基づいて決定されることを特徴とする装置。
【請求項１４】
前記制御情報は、チャンネル品質情報(ＣＱＩ)、肯定応答(ＡＣＫ)/否定応答(ＮＡＫ)、プリコーディングマトリックスインデックス(ＰＭＩ)、及びランクインジケータ(ＲＩ)のうち少なくとも一つを含むことを特徴とする請求項１３に記載の装置。
【請求項１５】
前記符号化制御情報シンボルの個数は、前記制御情報に対するターゲット信号品質以上の信号品質を得る最大ＭＣＳに対応することを特徴とする請求項１４に記載の装置。
【請求項１６】
前記符号化制御情報シンボルの個数は、前記制御情報に対するターゲット信号品質以上の信号品質を得る最小反復個数に対応することを特徴とする請求項１４に記載の装置。
【請求項１７】
基地局と通信するユーザー端末(ＵＥ）によって同一の伝送時間区間で符号化データ情報シンボルと共に伝送される第１個数の第１タイプの符号化制御情報シンボル及び第２個数の第２タイプの符号化制御情報シンボルを、前記ＵＥに割り当てる装置であって、
第１のオフセット、第２のオフセット、及びデータ情報に対する変調及び符号化方式(データＭＣＳ）をＵＥに割り当てる割り当て部と、
前記第１のオフセット、前記第２のオフセット、及び前記データＭＣＳを前記ＵＥに伝送する伝送部と、を含み、
前記ＵＥから伝送される第１タイプの符号化制御情報シンボルの第１個数は、前記データＭＣＳ及び前記第１のオフセットに基づいて決定され、前記ＵＥから伝送される第２タイプの符号化制御情報シンボルの第２個数は、前記データＭＣＳ及び前記第２のオフセットに基づいて決定されることを特徴とする装置。
【請求項１８】
前記第１タイプの符号化制御情報シンボルはチャンネル品質情報(ＣＱＩ）からなり、前記第２タイプの符号化制御情報シンボルは肯定応答(ＡＣＫ)/否定応答(ＮＡＫ)からなることを特徴とする請求項１７に記載の装置。
【請求項１９】
同一の伝送時間区間で符号化制御情報シンボルと符号化データ情報シンボルを伝送するための装置であって、
基地局からデータ情報に対する変調及び符号化方式(データＭＣＳ）とオフセットを受信する受信部と、
制御情報の伝送のために前記データＭＣＳと前記オフセットに基づいて前記符号化制御情報シンボルの個数を決定する演算部と、
前記符号化制御情報シンボルを符号化データ情報シンボルと共に伝送する伝送部と、
を含むことを特徴とする装置。
【請求項２０】
前記制御情報は、チャンネル品質情報(ＣＱＩ)、肯定応答(ＡＣＫ)/否定応答(ＮＡＫ)、プリコーディングマトリックスインデックス(ＰＭＩ)、及びランクインジケータ(ＲＩ)のうち少なくとも一つを含むことを特徴とする請求項１９に記載の装置。
【請求項２１】
前記符号化制御情報シンボルの個数は、前記制御情報に対するターゲット信号品質以上の信号品質を得る最大ＭＣＳに対応することを特徴とする請求項２０に記載の装置。
【請求項２２】
前記符号化制御情報シンボルの個数は、前記制御情報に対するターゲット信号品質以上の信号品質を得る最小反復個数に対応することを特徴とする請求項２０に記載の装置。
【請求項２３】
同一の伝送時間区間で第１タイプの符号化制御情報シンボル又は第２タイプの符号化制御情報シンボルと符号化データ情報シンボルとを伝送するための装置であって、
基地局から第１のオフセット、第２のオフセット、及びデータ情報に対する変調及び符号化方式(データＭＣＳ）を受信する受信部と、
前記データＭＣＳ及び前記第１のオフセットに基づいて第１タイプの符号化制御情報シンボルの個数を決定し、前記データＭＣＳと前記第２のオフセットに基づいて第２タイプの符号化制御情報シンボルの個数を決定する演算部と、
前記第１又は第２タイプの符号化制御情報シンボルを前記符号化データ情報シンボルと共に伝送する伝送部と、
を含むことを特徴とする装置。
【請求項２４】
前記第１タイプの符号化制御情報シンボルはチャンネル品質情報(ＣＱＩ）からなり、前記第２タイプの符号化制御情報シンボルは肯定応答(ＡＣＫ)/否定応答(ＮＡＫ)からなることを特徴とする請求項２３に記載の装置。
【発明の詳細な説明】
【技術分野】
【０００１】
本発明は、一般に、無線通信システムに関し、特に、単一搬送波周波数分割多重アクセス(Single-Carrier  Frequency  Division  Multiple  Access：ＳＣ-ＦＤＭＡ)通信システムにおける多重化制御及びデータ情報に関する。
【背景技術】
【０００２】
本発明は、ＳＣ-ＦＤＭＡ通信システムでデータ情報信号と一緒に肯定応答(positive  acknowledgement：ＡＣＫ)または否定応答(negative  acknowledgement：ＮＡＫ)信号、チャンネル品質インジケータ(Channel  Quality  Indicator：ＣＱＩ)信号、プリコーディングマトリックスインジケータ(Precoding  Matrix  Indicator：ＰＭＩ)信号、及びランクインジケータ(Rank  Indicator：ＲＩ)信号を伝送することを考慮するものであり、３ＧＰＰ(3rd  Generation  Partnership  Project)Ｅ-ＵＴＲＡ(Evolved-Universal  Terrestrial  Radio  Acccess)ＬＴＥ(Long  Term  Evolution)の発展でさらに考慮される。本発明は、移動ユーザー端末(mobile  user  equipment：ＵＥ)からサービング基地局(Ｎｏｄｅ  Ｂ)への信号伝送に該当するアップリンク(ＵＬ)通信を仮定する。一般に端末又は移動局と呼ばれているＵＥは、固定または移動され、無線装置、携帯電話、パーソナルコンピュータ装置、無線モデムカードなどであり得る。Ｎｏｄｅ  Ｂは、一般的に固定局(fixed  station)であり、基本送受信システム(Base  Transceiver  System：ＢＴＳ）、アクセスポイント(access  point)と、或いは他の用語でも呼ばれ得る。ＡＣＫ/ＮＡＫ、ＣＱＩ、ＰＭＩ、及びＲＩ信号の任意の組み合わせは、アップリンク制御情報(Uplink  Control  Information：ＵＣＩ)信号とも呼ばれることができる。
【０００３】
ＡＣＫ又はＮＡＫ信号は、ハイブリッド自動再送要求(Hybrid  Automatic  Repeat  reQuest：ＨＡＲＱ）のアプリケーションに関連されており、それぞれ、サービングＮｏｄｅ  ＢからＵＥへの信号伝送に該当する通信システムの、ダウンリンク(ＤＬ)における正確又は不正確なデータパケット受信に対する応答である。基準(reference)ＵＥから伝送されるＣＱＩ信号は、ＤＬの信号受信についてＵＥが経験したチャンネル状態をＮｏｄｅ Ｂに知らせ、Ｎｏｄｅ Ｂがチャンネルに依存してＤＬデータパケットのスケジューリングを遂行可能にする。基準ＵＥから伝送されるＰＭＩ/ＲＩ信号は、複数のＮｏｄｅ ＢアンテナからＵＥへの信号の伝送を多重入力多重出力(Multiple-Input  Multiple-Output：ＭＩＭＯ)原理によって組み合わせる方法を、Ｎｏｄｅ Ｂに知らせるためのものである。ＵＥは、ＡＣＫ/ＮＡＫ、ＣＱＩ、ＰＭＩ、及びＲＩ信号の可能な組み合わせのうちのいずれか一つを、同一の伝送時間区間(Transmission  Time  Interval：ＴＴＩ)に、データ伝送と共に伝送し、あるいは別個のＴＴＩにデータ伝送なしに伝送することができる。本発明は、前者の場合を考慮する。
【０００４】
ＵＥは、サブフレームに相当するＴＴＩ上で、ＵＣＩ及び/又はデータ信号を伝送すると仮定する。データ伝送がある場合、ＵＣＩ伝送を遂行する物理チャンネルは、物理アップリンク共有チャンネル(Physical  Uplink  Shared  Channel：ＰＵＳＣＨ)と呼ばれる。
【０００５】
図１は、本発明の実施形態で仮定されるサブフレーム構造を示すものである。サブフレーム１１０は、２個のスロット１２０ａ，１２０ｂを含む。各スロット１２０は、例えば７個のシンボルをさらに含み、各シンボル１３０は、チャンネル伝播効果による干渉を軽減するためのＣＰ(Cyclic  Prefix)(図示せず）を含む。２個のスロット１２０ａ，１２０ｂの信号伝送は、動作帯域幅(bandwidth：ＢＷ）での同一の部分にあるか、あるいは２個の異なる部分にあり得る。また、それぞれのスロットの中間(middle)シンボルは、パイロット信号としても知られている基準信号(Reference  Signal：ＲＳ）１４０を伝送するが、この基準信号１４０は、例えば受信信号のコヒーレント復調(coherent  demodulation)のためのチャンネル推定を提供するなどの、いくつかの目的のために使用される。伝送ＢＷは、リソースブロック(Resouce  Block：ＲＢ)と呼ばれる周波数リソースユニットを含む。実施形態では、それぞれのＲＢが１２個の副搬送波を含み、ＵＥには、ＰＵＳＣＨ伝送のための複数Ｎの連続したＲＢ１５０が割り当てられる。副搬送波は、リソース要素(Resource  Element：ＲＥ)とも呼ばれる。
【０００６】
図２は、ＳＣ-ＦＤＭＡシグナリングのための送信器機能の例を示すブロック構成図である。符号化ＣＱＩビット及び/又はＰＭＩビット２０５と符号化データビット２１０は、多重化される(２２０)。さらにＡＣＫ/ＮＡＫビットが多重化される必要がある場合には、データビットは、穿孔(puncture)されてＡＣＫ/ＮＡＫビットを受け入れる(２３０)。その後、組み合わせられたデータビットとＵＣＩビットの離散フーリエ変換(Discrete  Fourier  Transform：ＤＦＴ）が得られ(２４０)、割り当てられた伝送ＢＷに該当する副搬送波２５０が選択され(２５５)、逆高速フーリエ変換(Inverse  Fast  Fourier  Transform：ＩＦＦＴ）が遂行され(２６０)、最終的にＣＰ挿入２７０とフィルタリング２８０が伝送信号２９０に適用される。簡潔化のために、デジタル-アナログ変換器、アナログフィルタ、増幅器、及び送信アンテナのような付加的な送信回路は図示しない。また、データビットとＣＱＩビット及び/又はＰＭＩビットに対する符号化過程だけでなく、すべての伝送ビットに対する変調過程も、簡潔化のために省略する。  かかる受信器では、図３に概念的に示すように、図２に示す動作とは逆の（補完的な）動作が行われるように、逆伝送動作が遂行される。アンテナが無線周波数(Radio  Frequency：ＲＦ)アナログ信号を受信し、簡潔化のために示していない後続の処理部(フィルタ、増幅器、周波数ダウン変換器、及びアナログ-デジタル変換器など)を経た後に、デジタル受信信号３１０は、タイムウィンドウ部(time  windowing  unit)３２０を通じて通過され、さらに、ＣＰが除去される(３３０)。その次に、受信部はＦＦＴを適用し(３４０)、送信器によって使用される副搬送波３５０を選択し(３５５)、逆ＤＦＴを適用し(３６０)、ＡＣＫ/ＮＡＫビットを取り出してデータビットに対するそれぞれの削除(erasure)位置を取り(３７０)、データビット３９０及びＣＱＩ/ＰＭＩビット３９５を逆多重化する(３８０)。受信器では、チャンネル推定、復調、及び復号のように良く知られている受信器機能は、簡潔化のために示されていないが、本発明を説明するための構成要素として考えられない。
【０００７】
ＵＥからのＰＵＳＣＨ伝送は、ＵＬスケジューリング割り当て(Scheduling  Assignment：ＳＡ）の伝送を通じて、あるいは基準ＵＥへの上位階層シグナリングを通じて、Ｎｏｄｅ Ｂにより構成されることができる。どちらの場合でも、ＰＵＳＣＨでのＵＣＩの存在と関係なく、ＰＵＳＣＨ伝送の設定に関連したオーバーヘッドを制限し、ＵＬ  ＳＡ又は上位階層シグナリングに対する同一のサイズを維持するために、データ伝送に関連したパラメータのみが、Ｎｏｄｅ Ｂによって基準ＵＥに通知されると仮定する。ＰＵＳＣＨにおいて可能なＵＣＩ伝送に関連したパラメータ、すなわちＵＣＩ伝送に割り当てられるリソースは、特定されない。
【０００８】
ＵＣＩビットは、通常、データビットよりも良い受信信頼性が要求される。これは、主にＨＡＲＱが、典型的にデータのみに適用され、ＵＣＩには適用されないためである。その上、ＵＣＩビットは、そのタイプに基づいて異なる受信信頼性を必要とする。例えば、ＡＣＫ/ＮＡＫビットに対するターゲットビット誤り率(ＢＥＲ）は典型的にＣＱＩ/ＰＭＩビットのターゲットＢＥＲよりも格段に低いが、これは、ＡＣＫ/ＮＡＫビットが少ない個数によって反復符号化によって保護される一方、ＣＱＩ/ＰＭＩビットにはより強力な符号化方法が適用されるためである。また、ＡＣＫ/ＮＡＫビットの誤った受信は、ＣＱＩ/ＰＭＩビットの誤った受信よりも、通信の全体品質及び効率にさらに悪影響を及ぼす。
【０００９】
したがって、ＰＵＳＣＨにおけるデータ信号の伝送に対するパラメータに基づいて、ＰＵＳＣＨでのＵＣＩ信号の伝送に対するパラメータを決定する必要がある。また、ＰＵＳＣＨで相互に異なるタイプのＵＣＩ信号に対して異なる受信信頼度を提供する必要もある。加えて、ＰＵＳＣＨで相互に異なるタイプのＵＣＩ信号の伝送に対するパラメータを決定するために、シグナリングオーバーヘッドを最小化する必要もある。
【発明の概要】
【発明が解決しようとする課題】
【００１０】
したがって、本発明は、上述した従来技術の問題点を解決するためになされたもので、その目的は、データ信号の伝送も伝達するサブフレームでのユーザー端末からの制御信号の伝送にリソースを割り当てるための装置及び方法を提供することにある。
【課題を解決するための手段】
【００１１】
上記のような目的を達成するために、本発明の一態様によれば、基地局と通信するユーザー端末(ＵＥ）によって同一の伝送時間区間で符号化データ情報シンボルと共に伝送される複数の符号化制御情報シンボルを、基地局がＵＥに割り当てる方法であって、基地局によってオフセットをＵＥに割り当てるステップと、基地局によってデータ情報に対する変調及び符号化方式(データＭＣＳ）をＵＥに割り当てるステップと、オフセットをＵＥに伝送するステップと、データＭＣＳをＵＥに伝送するステップと、を有し、制御情報の伝送のためにＵＥに割り当てられる符号化制御情報シンボルの個数は、データＭＣＳとオフセットに基づいて決定されることを特徴とする。
【００１２】
本発明の他の態様によれば、基地局と通信するＵＥによって同一の伝送時間区間で符号化データ情報シンボルと共に伝送される第１個数の第１タイプの符号化制御情報シンボル及び第２個数の第２タイプの符号化制御情報シンボルを、基地局がＵＥに割り当てる方法であって、基地局によって、第１のオフセット及び第２のオフセットをＵＥに割り当てるステップと、基地局によって、データ情報に対する変調及び符号化方式(データＭＣＳ）をＵＥに割り当てるステップと、第１のオフセット及び第２のオフセットをＵＥに伝送するステップと、データＭＣＳをＵＥに伝送するステップと、を有し、ＵＥに割り当てられる第１タイプの符号化制御情報シンボルの第１個数は、データＭＣＳ及び第１のオフセットに基づいて決定され、ＵＥに割り当てられる第２タイプの符号化情報シンボルの第２個数は、データＭＣＳ及び第２のオフセットに基づいて決定されることを特徴とする。
【００１３】
また、本発明の他の態様によれば、基地局と通信するユーザー端末（ＵＥ）で、ＵＥによって同一の伝送時間区間で符号化データ情報シンボルと共に伝送される複数の符号化制御情報シンボルを決定する方法であって、基地局からオフセットを受信するステップと、基地局からデータ情報に対する変調及び符号化方式(データＭＣＳ）を受信するステップと、制御情報の伝送のために受信されたデータＭＣＳ及びオフセットに基づいて符号化制御情報シンボルの個数を決定するステップと、符号化制御情報シンボルを符号化データ情報シンボルと共に伝送するステップと、を有することを特徴とする。
【００１４】
さらに、本発明の他の態様によれば、基地局と通信するユーザー端末（ＵＥ）で、ＵＥによって同一の伝送時間区間で符号化データ情報シンボルと共に伝送される第１個数の第１タイプの符号化制御情報シンボル及び第２個数の第２タイプの符号化制御情報シンボルを決定する方法であって、基地局から第１のオフセット及び第２のオフセットを受信するステップと、基地局からデータ情報に対する変調及び符号化方式(データＭＣＳ）を受信するステップと、第１のオフセット及びデータＭＣＳに基づいて第１タイプの符号化制御情報シンボルの第１個数を決定するステップと、第２のオフセット及びデータＭＣＳに基づいて第２タイプの符号化制御情報シンボルの第２個数を決定するステップと、第１又は第２タイプの符号化制御情報シンボルを符号化データ情報シンボルと共に伝送するステップとを有することを特徴とする。
【００１５】
本発明の他の態様によれば、基地局と通信するユーザー端末(ＵＥ)によって同一の伝送時間区間で符号化データ情報シンボルと共に伝送される複数の符号化制御情報シンボルをＵＥに割り当てる装置であって、データ情報に対する変調及び符号化方式(データＭＣＳ）及びオフセットをＵＥに割り当てる割り当て部と、データＭＣＳ及びオフセットをＵＥに伝送する伝送部と、を含み、制御情報の伝送のためにＵＥに割り当てられる符号化制御情報シンボルの個数は、データＭＣＳとオフセットに基づいて決定されることを特徴とする。
【００１６】
また、本発明の他の態様によれば、基地局と通信するユーザー端末(ＵＥ)によって同一の伝送時間区間で符号化データ情報シンボルと共に伝送される第１個数の第１タイプの符号化制御情報シンボル及び第２個数の第２タイプの符号化制御情報シンボルを、ＵＥに割り当てる装置であって、第１のオフセット、第２のオフセット、及びデータ情報に対する変調及び符号化方式(データＭＣＳ）をＵＥに割り当てる割り当て部と、第１のオフセット、第２のオフセット、及びデータＭＣＳをＵＥに伝送する伝送部と、を含み、ＵＥから伝送される第１タイプの符号化制御情報シンボルの第１個数はデータＭＣＳ及び第１のオフセットに基づいて決定され、ＵＥから伝送される第２タイプの符号化制御情報シンボルの第２個数はデータＭＣＳ及び第２のオフセットに基づいて決定されることを特徴とする。
【００１７】
さらに、本発明の他の態様によれば、同一の伝送時間区間で符号化制御情報シンボルと符号化データ情報シンボルを伝送するための装置であって、基地局からデータ情報に対する変調及び符号化方式(データＭＣＳ）とオフセットを受信する受信部と、制御情報の伝送のためにデータＭＣＳとオフセットに基づいて符号化制御情報シンボルの個数を決定する演算部と、符号化制御情報シンボルを符号化データ情報シンボルと共に伝送する伝送部とを含むことを特徴とする。
【００１８】
さらにまた、本発明の他の態様によれば、同一の伝送時間区間で第１タイプの符号化制御情報シンボル又は第２タイプの符号化制御情報シンボルと符号化データ情報シンボルとを伝送するための装置であって、基地局から第１のオフセット、第２のオフセット、及びデータ情報に対する変調及び符号化方式(データＭＣＳ）を受信する受信部と、データＭＣＳ及び第１のオフセットに基づいて第１タイプの符号化制御情報シンボルの個数を決定し、データＭＣＳと第２のオフセットに基づいて第２タイプの符号化制御情報シンボルの個数を決定する演算部と、第１又は第２タイプの符号化制御情報シンボルを符号化データ情報シンボルと共に伝送する伝送部と、を含むことを特徴とする。
【図面の簡単な説明】
【００１９】
本発明の上記及び他の態様、特徴及び利点は、添付した図面と共に、以下に述べる詳細な説明から、一層明白になる。
【図１】ＳＣ-ＦＤＭＡ通信システム用のサブフレームの例を示すブロック図である。
【図２】伝送サブフレームでデータビット、ＣＱＩ/ＰＭＩビット、及びＡＣＫ/ＮＡＫビットを多重化するためのＳＣ-ＦＤＭＡ送信器の例を示すブロック図である。
【図３】受信サブフレームでデータビット、ＣＱＩ/ＰＭＩビット、及びＡＣＫ/ＮＡＫビットを逆多重化するためのＳＣ-ＦＤＭＡ受信器の例を示すブロック図である。
【図４】本発明の実施形態により、データＭＣＳからＣＱＩ  ＭＣＳをデカップリングすることを示すブロック図である。
【図５】本発明による基地局送信器の一実施形態を示すブロック図である。
【図６】本発明によるＵＥ受信器の例を示すブロック図である。
【発明を実施するための形態】
【００２０】
以下、添付の図面及び表を参照して、本発明をより詳細に説明する。但し、本発明は、様々な異なる形態で実施されることができ、以下に説明される実施形態に限定されると解釈されるべきではない。むしろ、これら実施形態は、本明細書を完全かつ徹底的にして、当該技術分野における通常の知識を持つ者に本発明の範囲を十分に伝達するために提供される。本発明は、ＳＣ-ＦＤＭＡ通信システムに関連して説明されるが、一般的にすべてのＦＤＭシステム、特にＯＦＤＭＡ、ＯＦＤＭ、ＦＤＭＡ、ＤＦＴ-拡散ＯＦＤＭ、ＤＦＴ-拡散ＯＦＤＭＡ、単一搬送波ＯＦＤＭＡ(ＳＣ-ＯＦＤＭＡ)、及び単一搬送波ＯＦＤＭのような他の通信システムにも適用される。
本発明の実施形態によるシステム及び方法は、同一の物理チャンネルでのデータ信号の伝送と共に発生する制御信号の伝送のためのリソースを決定しなければならない必要性と関連した問題を、これらリソースの明示的なシグナリングがなくても解決することができる。制御信号の受信信頼度は、データ信号の受信信頼度から大きくデカップリングされる。また、異なるタイプの制御信号間の受信信頼度も大きくデカップリングされ、相互に異なる量のリソースが異なるタイプの制御信号に割り当てられることができる。
【００２１】
まず、ＰＵＳＣＨでのＣＱＩ/ＰＭＩ信号伝送のために、リソース又は等価の変調及び符号化方式(Modulation  and  Coding  Scheme：ＭＣＳ）を決定することが考慮される。簡潔化のために、明示的に特別の言及がない限り、ＣＱＩに対するすべての明記はＰＭＩにも適用される。
【００２２】
ＣＱＩ  ＭＣＳは、ＵＥに明示的に指示されていないと仮定する。これは、ＰＵＳＣＨ伝送が、Ｎｏｄｅ Ｂから基準ＵＥに伝送されるＳＡに関連した場合と、上位階層シグナリングを通じて準静的に(semi-statically)構成される場合と、の両方が含まれる。その代わりに、所定のＣＱＩ情報ビット(ＣＱＩペイロード)の個数に対して符号化ＣＱＩシンボルの個数に単純に該当するＣＱＩ  ＭＣＳは、ＰＵＳＣＨでのデータ伝送のために割り当てられたＭＣＳに基づいて決定される。
【００２３】
＜表１＞に、一例として、１６個のＭＣＳのセットがスペクトラム効率の増加する順に記載される。データ伝送のためのＭＣＳは、上述したように、動的にＳＡを通じて又は準静的に上位階層シグナリングを通じて明示的に構成される。
【００２４】
【表１】
0004927110.tif 000002
【００２５】
類似した原理は、ＡＣＫ/ＮＡＫ(またはＲＩ)伝送に適用される。２個以下のＡＣＫ/ＮＡＫ情報ビットが伝送されると仮定しても、符号化率がＡＣＫ/ＮＡＫ伝送に使用される副搬送波(ＲＥ）の個数と等しいという問題がある(１ビット又は２ビットのＡＣＫ/ＮＡＫ伝送の反復符号化)。このＲＥの個数は、ＰＵＳＣＨでのデータ伝送のＭＣＳから決定されると仮定する。したがって、ＡＣＫ/ＮＡＫ伝送において、ＭＣＳは、１ビット又は２ビットのＡＣＫ/ＮＡＫ伝送が反復されるＲＥの個数に単純に該当する。ＣＱＩ及びＡＣＫ/ＮＡＫ伝送は、同一のサブフレーム間のＰＵＳＣＨで両方とも発生する必要はない。
【００２６】
ＰＵＳＣＨでのデータＭＣＳからＣＱＩ  ＭＣＳ及び/又はＡＣＫ/ＮＡＫ反復個数を決定するための例示的な方案は、それぞれの可能なＣＱＩ  ＭＣＳ及び/又はＡＣＫ/ＮＡＫ反復個数をデータＭＣＳとリンクする表を使用するものである。このような表は、ＣＱＩペイロード、符号化率、及びターゲットブロック誤り率(Block  Error  Rate：ＢＬＥＲ）がデータに対して該当するものとは典型的に異なるがために、必要となる。ＡＣＫ/ＮＡＫ伝送に対しても同様のことが言える。
【００２７】
例えば、データは、ターボ符号化され、約２０％のターゲットＢＬＥＲを有することができるが、ＣＱＩは、畳み込み符号化を適用して約５％のターゲットＢＬＥＲを有することができる。したがって、典型的にデータ及びＣＱＩは、同一のＭＣＳで伝送されることができない。しかしながら、データターゲットＢＬＥＲとＣＱＩターゲットＢＬＥＲとの間の固定関係を仮定すれば、ＣＱＩ符号化シンボルの個数（ＣＱＩ  ＭＣＳ）は、データペイロード及びＭＣＳとＣＱＩペイロードから決定されることができる。ＡＣＫ/ＮＡＫ反復の個数は、ターゲットＡＣＫ/ＮＡＫ  ＢＥＲが与えられると、同様に決定できる。
【００２８】
上記例示方案に基づいて、データＭＣＳをＣＱＩ  ＭＣＳ及びＡＣＫ/ＮＡＫ反復個数とリンクする表を生成するために、基準ＢＬＥＲ及びＢＥＲ動作ポイントが必要である。公称(nominal)ＣＱＩ  ＭＣＳ及びＡＣＫ/ＮＡＫ反復個数は、基準データＢＬＥＲに対応するデータＭＣＳに対して基準ＢＬＥＲ及びＢＥＲを各々得るために定義されることができる。簡潔化のために、単一の表について後述するが、ＣＱＩ  ＭＣＳ及びＡＣＫ/ＮＡＫ反復個数は、相互に異なる表又は連係数式にリンクされることができる。
【００２９】
上記過程の例示的な概要を以下に述べる。
【００３０】
データＢＬＥＲ(例えば２０％)、ＣＱＩ  ＢＬＥＲ(例えば５％)、及びＡＣＫ/ＮＡＫ  ＢＥＲ(例えば０.１％)に対するターゲット値を選択し、ＳＩＮＲ(Signal-to-Interference  Ratio）の動作ポイントのセットを選択する。
【００３１】
それぞれのＳＩＮＲ動作ポイントに対して、データターゲットＢＬＥＲ以下のＢＬＥＲを得る最高データＭＣＳ、ＣＱＩターゲットＢＬＥＲ以下のＢＬＥＲを得る最高ＣＱＩ  ＭＣＳ、及びＡＣＫ/ＮＡＫターゲットＢＥＲ以下のＡＣＫ/ＮＡＫ  ＢＥＲを得る最低のＡＣＫ/ＮＡＫ反復個数を決定する。
【００３２】
それぞれのＳＩＮＲ動作ポイントに対して、上記の最高データＭＣＳは、上記の最高ＣＱＩ  ＭＣＳ及び上記の最低のＡＣＫ/ＮＡＫ反復個数とリンクされる。例えば、１ビットＡＣＫ/ＮＡＫ伝送は、同一のターゲットＢＥＲに対して、２ビットＡＣＫ/ＮＡＫ伝送に対するＳＩＮＲよりも３デシベル（ｄＢ）小さいＳＩＮＲを要求する。
【００３３】
基準送信器/チャンネル/受信器の設定は、基準データペイロード及びＣＱＩペイロードと一緒に、例えば１個のＵＥ送信アンテナ、２個の無関係のＮｏｄｅ Ｂ受信アンテナ、基準伝播チャンネルなどを仮定することができる。
【００３４】
＜表２＞は、データＭＣＳとＣＱＩ  ＭＣＳ又はＡＣＫ/ＮＡＫ反復の個数間のリンクを説明するものである。＜表１＞の例を用いて、１６個のＣＱＩ  ＭＣＳと１６個のＡＣＫ/ＮＡＫ反復が定義されることができる(１ビットのＡＣＫ/ＮＡＫ伝送に比べて２倍多い反復が、２ビットのＡＣＫ/ＮＡＫ伝送に適用される)。
【００３５】
【表２】
0004927110.tif 000003
【００３６】
ＣＱＩ符号化シンボル(ＭＣＳ）又はＡＣＫ/ＮＡＫ反復個数をデータＭＣＳと正確にリンクすることは、ＣＱＩ  ＢＬＥＲ、ＡＣＫ/ＮＡＫ  ＢＥＲ、及びデータＢＬＥＲ間の対応するリンクを強要することであって、一般的に望ましくない。例えば、Ｎｏｄｅ Ｂスケジューラは、アプリケーション及び/又はシステム状態(待ち時間(latency)、システムロードなど)に基づいて１０％乃至４０％のデータターゲットＢＬＥＲを選択できるが、そのような考慮とは大きく無関係のＣＱＩ  ＢＬＥＲ又はＡＣＫ/ＮＡＫ  ＢＥＲに影響を及ぼしてはならない。ＣＱＩターゲットＢＬＥＲ及びＡＣＫ/ＮＡＫターゲットＢＥＲをデータターゲットＢＬＥＲから効果的にデカップリングするために、特定のデータＭＣＳに関連した公称ＣＱＩ  ＭＣＳに対するオフセット及び公称ＡＣＫ/ＮＡＫ反復に対するオフセットは、ＰＵＳＣＨでのＣＱＩ伝送及びＡＣＫ/ＮＡＫ伝送に対して準静的に構成されることができる。
【００３７】
Ｎｏｄｅ Ｂスケジューラが、例えば特定のＵＥに対して２０％より大きいデータターゲットＢＬＥＲを選択できるので、ＣＱＩターゲットＢＬＥＲは、オフセットを用いてデータＭＣＳとのリンクから生じられるものよりも低いＣＱＩ  ＭＣＳ(すなわち、より多くのＣＱＩ符号化シンボルが生じられる低い符号化率)を特定することによって、所望する５％の例示値で残っていることを可能にする。それぞれの例が他のＵＣＩ信号に対して適用される。
【００３８】
基準値に対するターゲットＢＬＥＲの可変性は非常に大きいものではないと予想されることから、データＭＣＳとのリンクから得られるＣＱＩ  ＭＣＳに対するＣＱＩ  ＭＣＳオフセットを特定するために、少ないビット数が使用されることができる。例えば、ＣＱＩ  ＭＣＳオフセットを特定する２ビットを用いて、ＣＱＩ  ＭＣＳに対する該当する４個のオフセット値の中で１個のオフセット値が高いＭＣＳを、２個のオフセット値が２個の低いＭＣＳを、そして残りの１個のオフセット値が公称ＭＣＳ(データＭＣＳとのリンクから得られる)を、各々指示できる。ＡＣＫ/ＮＡＫ反復の個数に対しても同様に適用される。１個のオフセット値がその次に低い可能な反復個数を、また１個のオフセット値が公称反復個数(データＭＣＳとの連係から得られる)を、そして残りの２個のオフセット値がその次に高い２個の反復個数を、各々指示できる。
【００３９】
図４は、ＣＱＩに対する本発明の実施形態を示しているが、同一の原理が簡単にＡＣＫ/ＮＡＫまたはＲＩにも拡張されることができ、簡潔化のためにその説明を省略する。ＵＥには、ＰＵＳＣＨ４１０でのデータ伝送に使用すべきＭＣＳが、動的に(ＳＡを通じて)又は準静的に(上位階層を通じて)割り当てられる(４１０)。その後、表又は連係数式のいずれかを通じてデータＭＣＳとのリンクを用いて(４２０)、ＵＥは、ＰＵＳＣＨでのＣＱＩ伝送のための公称ＣＱＩ  ＭＣＳを決定する(４３０)。次に、(上位階層信号を通じて)ＣＱＩ伝送に対する構成パラメータの一部としてＵＥが割り当てられたＣＱＩ  ＭＣＳオフセットを用いて、ＵＥは、ＣＱＩ  ＭＣＳオフセットからの指示に基づいて、ＣＱＩ  ＭＣＳを、公称ＣＱＩ  ＭＣＳに対して調整する。前述した２ビットによって特定されるオフセットの例において、ＵＥは、ＭＣＳ１  ４４１、ＭＣＳ２  ４４２、ＭＣＳ３  ４４３、及びＭＣＳ４  ４４４として示された４個のＭＣＳのうちいずれか一つを選択できる。
【００４０】
図５は、本発明によるＮｏｄｅ Ｂ送信器の例を示すブロック構成図である。この実施形態において、ＯＦＤＭ伝送方法は、ただ例示と説明だけのために使用される。上述したようにＵＣＩオフセットは、演算部５１０で決定され、他の上位階層制御シグナリング及びデータとカップリングされることができる。ＵＣＩオフセットビットと任意の他の組み合わせビットは、エンコーダ/変調部５２０で符号化及び変調される。当該符号化及び変調されたシンボルは、直列-並列変換器５３０で、直列-並列変換が適用される。また、ＩＦＦＴ部５４０でＩＦＦＴが遂行され、並列-直列変換器５５０において並列-直列変換が適用され、当該信号の伝送前にＣＰ部５６０でＣＰが挿入される。簡潔化のために、デジタル-アナログ変換器、アナログフィルタ、増幅器、及び送信アンテナのような付加的な送信器回路は示されない。
【００４１】
図６は、本発明によるＵＥ受信器の例を示すブロック構成図である。この実施形態において、ＯＦＤＭ伝送方法は、ただ例示と説明だけのために使用される。Ｎｏｄｅ Ｂから伝送された無線周波数(ＲＦ)アナログ信号は、前処理(pre-processing)部６１０によって受信及び処理される。この前処理部６１０は、簡潔化のために図示しなかった付加的な処理回路(例えば、フィルタ、増幅器、周波数ダウンコンバータ、アナログ-デジタル変換器など）を含むことができる。前処理部６１０から得られるデジタル信号は、ＣＰ部６２０でＣＰが除去され、直列-並列変換器６３０で直列-並列変換が適用され、ＦＦＴ部６４０でＦＦＴが遂行される。当該変換されたシンボルに対して、並列-直列変換器６５０で並列-直列変換が適用され、続いて、このシンボルは、演算部６７０でＵＣＩオフセットと任意の他の上位階層制御シグナリング及びデータを得るために、復号器/復調器６６０で復調及び復号される。
【００４２】
同一の送信器及び受信器の構成は、関連したＰＵＳＣＨ伝送のためのＭＣＳと他のスケジューリング情報を伝達するＵＬ  ＳＡにも使用されることができる。
【００４３】
要約すると、ＵＥは、その割り当てられたＰＵＳＣＨでのデータＭＣＳから、ＰＵＳＣＨでのＣＱＩ  ＭＣＳ及び/又はＡＣＫ/ＮＡＫ反復個数を、次のように決定する。
【００４４】
ＰＵＳＣＨでの公称ＣＱＩ  ＭＣＳ及び公称ＡＣＫ/ＮＡＫ反復個数は、ＰＵＳＣＨでのデータＭＣＳに直接リンクされる。
【００４５】
データターゲットＢＬＥＲ、ＣＱＩターゲットＢＬＥＲ、及びＡＣＫ/ＮＡＫターゲットＢＥＲは、オフセットパラメータの範囲によって決定される範囲内でデカップリングされる。ＵＥ伝送パラメータを構成する間に、ＵＥは、データＭＣＳとのリンクによって決定された公称ＣＱＩ  ＭＣＳ及び公称ＡＣＫ/ＮＡＫ反復個数に対して、ＰＵＳＣＨでのＣＱＩ伝送に使用すべきＭＣＳに対するオフセット及びＰＵＳＣＨでのＡＣＫ/ＮＡＫ伝送に使用すべき反復個数に対するオフセットをまた構成する。
【００４６】
ＨＡＲＱ過程に基づく場合に、データ処理量(throughput)を最大化するために初期データ伝送のＭＣＳを選択するスケジューラと同様に、可能な再伝送のＭＣＳは、以前データ伝送が発生された事実に従い、該事実に依存して選択することができる。したがって、適応的再伝送のために、スケジューラは、ＨＡＲＱ過程の冗長バージョン(redundancy  version)に基づいて、相互に異なるＭＣＳ及びターゲットデータＢＬＥＲを選択することができる。ＰＵＳＣＨでのデータ再伝送中に、公称ＭＣＳに対するオフセットは、ＣＱＩ伝送及び/又はＡＣＫ/ＮＡＫ伝送に対しても構成されることができる。再伝送の個数が典型的に小さいため、小さい数の上記追加のオフセットのみが、再伝送のために構成されることができる。
【００４７】
ＣＱＩターゲットＢＬＥＲがＰＭＩ(ＲＩ)ターゲットＢＬＥＲと異なる場合には、ＰＭＩ(ＲＩ)  ＭＣＳに対する別個のリンクを有することを避けるために、ＰＭＩ(ＲＩ)  ＭＣＳは、ＣＱＩ  ＭＣＳに対するオフセットで構成されることができる。このオフセットは、ＣＱＩ及びＰＭＩ(ＲＩ)ターゲットＢＬＥＲ間の差から決定されることができる。ＣＱＩターゲットＢＬＥＲがＰＭＩ(ＲＩ)よりも低い(又は高い)場合には、このオフセットは、ＰＭＩ(ＲＩ)伝送に対する高い(又は低い)ＭＣＳを指示することができる。
【００４８】
以上、本発明の詳細な説明においては具体的な実施形態に関して説明したが、添付された特許請求の範囲によって規定されたような発明の精神及び範囲を外れることなく形式や細部における様々な変更が可能であることは、当該技術分野における通常の知識を持つ者には理解されるであろう。
【図１】
0004927110.tif 000004
【図２】
0004927110.tif 000005
【図３】
0004927110.tif 000006
【図４】
0004927110.tif 000007
【図５】
0004927110.tif 000008
【図６】
0004927110.tif 000009